(57)【要約】【課題】アフィリエイトの仕組みを提供する複数のアフィリエイトサービスプロバイダ（ＡＳＰ）と契約した場合でも、アフィリエイト利用のための管理コストを抑えることができるアフィリエイト管理方法を提供すること。【解決手段】アフィリエイト管理システム１は、顧客６が商品紹介リンク１１をクリックするとその動向を監視して、売買契約が成立したか否かをＡＳＰ４に通知するとともに、商品の売買契約が成立したか否か等の販売情報を蓄積する顧客動向監視手段２０を備えている。また、広告主３から提供された広告素材を複数のＡＳＰ４に配信する広告入稿手段２１と、広告主３が設定した報酬を複数のＡＳＰ４に反映させる報酬設定手段２２と、複数のＡＳＰ４に対する出納を管理する出納処理手段２３と、顧客動向監視手段２０が蓄積した販売情報を広告主３に提供する販売情報提供手段２４を備えている。【選択図】図１
2008009805.tif 000002
【特許請求の範囲】
【請求項１】
広告主から入稿された商品等の広告素材に基づいて当該商品等を販売するための紹介リンクをサイト管理者に提供し、前記サイト管理者が運営するホームページに設置された前記紹介リンクをクリックした顧客と広告主との間で売買契約等が成立した場合には予め広告主によって定められた報酬をサイト管理者に支払う成果報酬型のアフィリエイトの仕組みを提供するアフィリエイトサービスプロバイダを複数管理するためのアフィリエイト管理方法であって、
前記広告主から提供された前記商品等の広告素材を、前記複数のアフィリエイトサービスプロバイダのそれぞれに入稿する広告入稿工程と、
前記広告主が設定した報酬を前記複数のアフィリエイトサービスプロバイダのそれぞれに反映させる報酬設定工程と、
前記複数のアフィリエイトサービスプロバイダから前記商品紹介リンクが顧客によってクリックされたという通知を待っており、当該クリックがされたという通知があると、前記商品等の売買契約等が成立するか否かを監視して、当該売買契約の結果を前記クリックがされた前記アフィリエイトサービスプロバイダに通知する顧客動向監視工程、
を含むことを特徴とするアフィリエイト管理方法。
【請求項２】
請求項１において、
前記複数のアフィリエイトサービスプロバイダのそれぞれで発生している報酬等の支払い請求を一括して前記広告主へ請求するとともに、広告主からの入金があると、各アフィリエイトサービスプロバイダの支払い請求毎に支払いを行なう出納処理工程を含むことを特徴とするアフィリエイト管理方法。
【請求項３】
請求項１または２において、
前記複数のアフィリエイトサービスプロバイダのいずれかから問い合わせがあると、問合せ内容を前記広告主へ報告するとともに、前記広告主からの回答を、問合せをしたアフィリエイトサービスプロバイダに提示する問合せ対応工程を含むことを特徴とするアフィリエイト管理方法。
【請求項４】
請求項１ないし３のいずれかにおいて、
前記複数のアフィリエイトサービスプロバイダに登録されている登録情報を一元管理するとともに、前記広告主から新たな登録情報が提供された場合には、新たな登録情報を前記複数のアフィリエイトサービスプロバイダのそれぞれに反映させる登録情報管理工程を含むことを特徴とするアフィリエイト管理方法。
【請求項５】
請求項１ないし４のいずれかにおいて、
前記顧客動向監視工程は、少なくともクリックを通知した前記アフィリエイトサービスプロバイダ名と当該クリックによって前記商品等の売買契約が成立したか否かの結果を販売情報として蓄積する販売情報蓄積工程を含むことを特徴とするアフィリエイト管理方法。
【請求項６】
請求項５において、
前記販売情報蓄積工程で蓄積された前記販売情報を前記複数のアフィリエイトサービスプロバイダ毎に集計して表示するＡＳＰ別集計表示工程を含むことを特徴とするアフィリエイト管理方法。
【請求項７】
請求項５または６において、
前記販売情報蓄積工程で蓄積された前記販売情報を前記複数のアフィリエイトサービスプロバイダ全体で集計して表示する全体集計表示工程を含むことを特徴とするアフィリエイト管理方法。
【請求項８】
請求項５ないし７のいずれかにおいて、
前記販売情報蓄積工程で蓄積された前記販売情報を時系列で表示するクリック履歴表示工程を含むことを特徴とするアフィリエイト管理方法。
【請求項９】
請求項１ないし８のいずれかにおいて、
前記アフィリエイトサービスプロバイダは、携帯電話向けの成果報酬型のアフィリエイトの仕組みを提供するアフィリエイトサービスプロバイダであることを特徴とするアフィリエイト管理方法。
【請求項１０】
請求項１ないし９のいずれかの項に記載されたアフィリエイト管理方法によって、成果報酬型のアフィリエイトの仕組みを提供するアフィリエイトサービスプロバイダを複数管理するアフィリエイト管理システム。
【発明の詳細な説明】
【技術分野】
【０００１】
本発明は、アフィリエイトの仕組みを提供するアフィリエイトサービスプロバイダを複数管理するためのアフィリエイト管理方法に関する。また、そのような管理方法を用いたアフィリエイト管理システムに関する。
【背景技術】
【０００２】
インターネット上で商品やサービスの販売を促進するために成果報酬型のアフィリエイトを利用することが定着してきている。成果報酬型のアフィリエイトとは、ホームページ内に設けられた商品紹介リンクを経由して商品が販売されると、広告主から売上に応じた額の報酬が、ホームページを運営するサイト管理者に支払われるものである。このような成果報酬型のアフィリエイトは、例えば、特許文献１に記載されている。
【０００３】
成果報酬型のアフィリエイトの仕組みはアフィリエイトサービスプロバイダ（ＡＳＰ）によって提供されており、サイト管理者は、このＡＳＰと契約して自己の運営するホームページに商品紹介リンクを設置している。従って、広告主が、インターネット上で一度に広範囲の商品の販売促進活動を行なおうとすれば、数多くのＡＳＰと契約して、多くのホームページに商品紹介リンクを設置してもらう必要がある。
【特許文献１】特開２００５−２１６２８１号公報
【発明の開示】
【発明が解決しようとする課題】
【０００４】
しかし、広告主が複数のＡＳＰと契約すると、各ＡＳＰ毎に異なる仕組にシステムを対応させる必要があるので、導入コストが増加してしまう。また、ＡＳＰ毎に商品の広告を入稿したり、報酬を設定したり、ＡＳＰ毎に発生する報酬の支払いや固定費の支払いを管理する必要があるので、手続が煩雑になる。さらに、成果報酬型のアフィリエイトを介して販売された商品の個数や売上高、報酬の支払額等の明細は、各ＡＳＰからそれぞれ個別に広告主に提供されるので、その全体を把握するためには、各ＡＳＰのサーバを巡回して、それぞれに提供されている情報を加工して必要な情報を得る必要がある。すなわち、広告主が複数のＡＳＰと契約すると、成果報酬型のアフィリエイトを利用するための導入コスト、管理コストが増大してしまうという問題がある。
【０００５】
本発明の課題は、このような点に鑑みて、複数のＡＳＰと契約した場合でも、アフィリエイト利用のためのコストを抑えることができるアフィリエイト管理方法を提供することにある。また、そのような管理方法を用いたアフィリエイト管理システムを提供することにある。
【課題を解決するための手段】
【０００６】
上記課題を解決するために、本発明は、広告主から入稿された商品等の広告素材に基づいて当該商品等を販売するための紹介リンクをサイト管理者に提供し、前記サイト管理者が運営するホームページに設置された前記紹介リンクをクリックした顧客と広告主との間で売買契約等が成立した場合には予め広告主によって定められた報酬をサイト管理者に支払う成果報酬型のアフィリエイトの仕組みを提供するアフィリエイトサービスプロバイダを複数管理するためのアフィリエイト管理方法であって、前記広告主から提供された前記商品等の広告素材を、前記複数のアフィリエイトサービスプロバイダのそれぞれに入稿する広告入稿工程と、前記広告主が設定した報酬を前記複数のアフィリエイトサービスプロバイダのそれぞれに反映させる報酬設定工程と、前記複数のアフィリエイトサービスプロバイダから前記商品紹介リンクが顧客によってクリックされたという通知を待っており、当該クリックがされたという通知があると、前記商品等の売買契約等が成立するか否かを監視して、当該売買契約の結果を前記クリックがされた前記アフィリエイトサービスプロバイダに通知する顧客動向監視工程、を含むことを特徴とする。
【０００７】
本発明によれば、広告主が商品やサービスの販売を促進するために複数のアフィリエイトサービスプロバイダと契約した場合でも、広告主が提供した広告素材を、全てのアフィリエイトサービスプロバイダに対して一括して入稿することができる。また、広告主が設定した報酬を、全てのアフィリエイトサービスプロバイダに一度に反映させることができる。従って、商品を広告するための管理コストを抑えることができる。また、商品紹介リンクがクリックされた後の顧客の動向は、各アフィリエイトサービスプロバイダからそれぞれ個別に提供されている成果報酬型のアフィリエイトの仕組みによって監視されるのではなく、顧客動向監視工程が監視しており、売買契約が成立したか否かの結果をアフィリエイトサービスプロバイダに通知するようにしている。従って、広告主は、各アフィリエイトサービスプロバイダがそれぞれ提供する成果報酬型のアフィリエイトの仕組みに対応する必要がないので、アフィリエイトを利用するための導入コストを抑えることができる。
【０００８】
本発明において、前記複数のアフィリエイトサービスプロバイダのそれぞれで発生している報酬等の支払い請求を一括して前記広告主へ支払い請求するとともに、広告主からの入金があると、各アフィリエイトサービスプロバイダの支払請求毎に支払いを行なう出納処理工程、を含むことが好ましい。広告主が成果報酬型のアフィリエイトを利用するためにアフィリエイトサービスプロバイダと契約を結ぶと、広告主は、商品が売れた場合にサイト管理者に支払われる報酬金額に見合う金額の預入金を、予めアフィリエイトアフィリエイトサービスプロバイダに入金する必要がある。また、例えば月毎に、サイト管理者への報酬の支払いが発生するので、この預入金の残金が不足しないように注意をする必要がある。さらに、アフィリエイトサービスプロバイダに対しても、運営費用としての固定費や販売金額に応じたマージンの支払いが発生する。これら複数のアフィリエイトサービスプロバイダでそれぞれ発生する支払いを一元的に管理できるので、アフィリエイト利用のための管理コストを低減させることができる。
【０００９】
本発明において、前記複数のアフィリエイトサービスプロバイダのいずれかから問い合わせがあると、問合せ内容を前記広告主へ報告するとともに、前記広告主からの回答を、問合せをしたアフィリエイトサービスプロバイダに提示する問合せ対応工程を含むことが好ましい。
【００１０】
また、本発明において、前記複数のアフィリエイトサービスプロバイダに登録されている登録情報を一元管理するとともに、前記広告主から新たな登録情報が提供された場合には、新たな登録情報を前記複数のアフィリエイトサービスプロバイダのそれぞれに反映させる登録情報管理工程を含むことが好ましい。
【００１１】
ここで、前記顧客動向監視工程は、少なくともクリックを通知した前記アフィリエイトサービスプロバイダ名と当該クリックによって前記商品等の売買契約が成立したか否かの結果を販売情報として蓄積する販売情報蓄積工程を含んでいることが好ましい。販売情報を蓄積していれば、各アフィリエイトサービスプロバイダのサーバを巡回して販売情報を得る必要がない。また、巡回して得た販売情報を加工して全体の販売情報を得る等の手間も必要ないので、複数のアフィリエイトサービスプロバイダを利用した場合でも、アフィリエイト利用のための管理コストの増大を抑えることができる。
【００１２】
また、前記販売情報蓄積工程で蓄積された前記販売情報を前記複数のアフィリエイトサービスプロバイダ毎に集計して表示するＡＳＰ別集計表示工程を含むことが好ましい。このようにすれば、広告主は、アフィリエイトサービスプロバイダ毎に集計された値を比較しながら、販売効率の高いアフィリエイトサービスプロバイダを優先的に利用する等の販売促進計画を練ることができる。
【００１３】
また、前記販売情報蓄積工程で蓄積された前記販売情報を前記複数のアフィリエイトサービスプロバイダ全体で集計して表示する全体集計表示工程を含むことが好ましい。契約している全てのアフィリエイトサービスプロバイダの販売情報を集計して表示すれば、広告主はアフィリエイトの利用全般について、その費用対効果を検証することができる。
【００１４】
また、前記販売情報蓄積工程で蓄積された前記販売情報を時系列で表示するクリック履歴表示工程を含むようにしてもよい。
【００１５】
本発明において、前記アフィリエイトサービスプロバイダは、携帯電話向けの成果報酬型のアフィリエイトの仕組みを提供するアフィリエイトサービスプロバイダとすることができる。携帯電話からインターネットに接続して商品を購入する顧客が増加するのに伴って、携帯電話向けのホームページに対して成果報酬型のアフィリエイトの仕組みを提供するアフィリエイトサービスプロバイダの数が増加しているので、このようなアフィリエイトサービスプロバイダに対して本発明のアフィリエイト管理方法を採用すれば、アフィリエイト利用のための管理コストの増加を抑制することができる。
【００１６】
次に、本発明のアフィリエイト管理システムは、上記のアフィリエイト管理方法によって、成果報酬型アフィリエイトの仕組みを提供するアフィリエイトサービスプロバイダを複数管理することを特徴とする。
【発明の効果】
【００１７】
本発明によれば、広告主が商品やサービスの販売を促進するために複数のアフィリエイトサービスプロバイダと契約した場合でも、広告主が提供した広告素材を、全てのアフィリエイトサービスプロバイダに対して一括して入稿することができる。また、広告主が設定した報酬を、全てのアフィリエイトサービスプロバイダに一度に反映させることができる。従って、商品を広告するための管理コストを抑えることができる。
【００１８】
また、商品紹介リンクがクリックされた後の顧客の動向は、各アフィリエイトサービスプロバイダからそれぞれ個別に提供されている成果報酬型のアフィリエイトの仕組みによって監視されるのではなく、顧客動向監視工程が監視しており、売買契約が成立したか否かの結果をアフィリエイトサービスプロバイダに通知するようにしている。従って、広告主は、各アフィリエイトサービスプロバイダがそれぞれ提供する成果報酬型のアフィリエイトの仕組みに対応する必要がないので、アフィリエイトを利用するための導入コストを抑えることができる。
【発明を実施するための最良の形態】
【００１９】
以下に、図面を参照して、本発明を適用したアフィリエイト管理システムの実施の形態を説明する。図１は本発明の実施の形態に係るアフィリエイト管理システムの概略図である。図２〜図４はアフィリエイト管理システムの販売情報提供手段が表示する販売情報の例である。
【００２０】
（成果報酬型のアフィリエイト）
本形態の成果報酬型のアフィリエイトは、携帯電話向けのものである。携帯電話で閲覧可能なホームページ１０内に設けられた商品紹介リンク１１を経由して商品が販売されると、広告主３から売上に応じた額の報酬がホームページ１０を運営するサイト管理者に支払われる。
【００２１】
サイト管理者が成果報酬型のアフィリエイトを利用する場合には、ＡＳＰ４と契約して、ＡＳＰ４から提供される商品紹介リンク１１を自己の運営するホームページ１０に設置する。ホームページ１０を訪れた顧客６が設置された商品紹介リンク１１をクリックすると、その商品を販売する販売サイト１２にジャンプするので、顧客６はその販売サイト１２から、所望の商品を購入できる。顧客６が商品を購入すると、その売上に応じた報酬が、広告主３からＡＳＰ４を経由してサイト管理者に支払われる。
【００２２】
商品やサービスを提供する広告主３が成果報酬型のアフィリエイトを利用する場合には、ＡＳＰ４と契約して、ＡＳＰ４が提供する成果報酬型のアフィリエイトを利用するための仕組みを備えた商品の販売サイト１２を開設する。そして、開設した販売サイト１２のＵＲＬ（Uniform Resource Locator）や、商品・サイトの紹介文を広告素材としてＡＳＰ４に入稿し、商品が売れた場合に支払われる報酬額や売上高に対する報酬割合を設定する。また、商品が売れた場合にサイト管理者に支払われる報酬金額に見合う金額の預入金を、予めＡＳＰ４に入金する。
【００２３】
ＡＳＰ４は、広告主３から提供された広告素材から商品紹介リンク１１を作成して、サイト管理者に提供する。サイト管理者が運営するホームページ１０に設置された商品紹介リンク１１が顧客６によってクリックされると、販売サイト１２で商品の売買契約が結ばれるまで顧客６の動向を監視する。広告主３と顧客６との間で売買契約が結ばれると、ＡＳＰ４は広告主３の預入金から予め設定されている報酬をサイト管理者に支払う。また、広告主３に対しては、成果報酬型のアフィリエイトを介して販売された商品の個数、売上高、報酬の支払額、預入金の残金等の販売情報を提供する。また、預入金が不足しそうな場合やＡＳＰ４に支払う必要がある経費が発生している場合には、預入金の積立請求や経費の支払い請求を行なう。
【００２４】
（アフィリエイト管理システム）
ここで、本形態のアフィリエイト管理システム１は、専用回線７またはインターネット８を介して広告主３および複数のＡＳＰ４と接続されているコンピュータシステムである。アフィリエイト管理システム１は、顧客６が商品紹介リンク１１をクリックするとその後の動向を監視して、売買契約が成立したか否かの結果をＡＳＰ４に通知するとともに、商品の売買契約が成立したか否か等の販売情報を蓄積する顧客動向監視手段２０と、広告主３から提供された広告素材を複数のＡＳＰ４のそれぞれ配信する広告入稿手段２１と、広告主３が設定した報酬を複数のＡＳＰ４のそれぞれに反映させる報酬設定手段２２と、複数のＡＳＰ４に発生している支払い請求を一括して、広告主３へ請求するとともに、広告主３からの入金があると、各ＡＳＰ４の支払請求毎に支払いを行なう出納処理手段２３を備えている。また、各ＡＳＰ４からの問い合わせを一括して管理する問合せ対応手段２５と、各ＡＳＰ４に登録されている広告主３の登録情報を一元管理する登録情報管理手段２６、顧客動向監視手段２０によって蓄積された販売情報を多様な形式で広告主３に提供する販売情報提供手段２４とを備えている。
【００２５】
顧客動向監視手段２０は、複数のＡＳＰ４のいずれかから商品紹介リンク１１が顧客６によってクリックされたという通知が来るのを待っている。クリックがあったことが通知されると、クリックされたホームページ１０のＵＲＬとその通知を行なったＡＳＰ４の情報をクリック状況データベース３４に蓄積するとともに、販売サイト１２にジャンプしてきた顧客６のその後の動向を監視する。クリック状況データベース３４には、例えば、クリックされた日時、クリックした携帯電話のキャリア、機種名、個体識別番号、入会日、退会日、等が時系列に蓄積される。
【００２６】
顧客６が販売サイト１２で商品を購入することを決定し、広告主３と顧客６との間で売買契約が結ばれると、顧客動向監視手段２０は売買契約が成立したことをクリックの通知を行なったＡＳＰ４に通知する。ＡＳＰ４では、この通知に基づいて成果報酬の支払いを行なう。また、顧客動向監視手段２０は、顧客６が売買契約を結ぶまでの動向を売買履歴データベース３５に蓄積する。売買履歴データベース３５に蓄積される情報としては、例えば、クリックした商品紹介リンク１１が設置されていたホームページ１０のＵＲＬ、そのホームページ１０のサイト管理者が契約しているＡＳＰ４、売買契約締結日時、商品、販売金額、確定した報酬額、最初のクリックから契約成立までの時間、等がある。
【００２７】
このように、顧客６が商品紹介リンク１１をクリックした後の動向は、各ＡＳＰ４からそれぞれ個別に提供されている成果報酬型のアフィリエイトの仕組みによって監視されるのではなく、顧客動向監視手段２０が監視している。従って、広告主は、ＡＳＰ４毎にそれぞれ提供される成果報酬型のアフィリエイトの仕組みを備えた販売サイト１２を複数開設する必要はなく、アフィリエイト管理システムが提供する仕組みに対応した販売サイト１２を開設するだけでよい。また、この販売サイト１２を管理するだけでよいので、複数のＡＳＰ４と契約した場合でも、成果報酬型のアフィリエイトを利用するための導入コストを抑えることができる。さらに、また、顧客動向監視手段２０が販売情報を蓄積しているので、販売情報は複数のＡＳＰに分散しておらず、アフィリイト管理システム１に蓄積される。従って、販売情報を分析するために必要なコストを抑えることができる。
【００２８】
広告入稿手段２１は、広告主３から受信した広告素材を、商品情報データベース３３に蓄積する。商品情報データベース３３には、販売する商品毎に、広告主３、販売サイト１２のＵＲＬ等の情報が収納されている。また、受信した広告素材を、複数のＡＳＰ４のそれぞれが要求する所定のデータ形式に変換した後に、各ＡＳＰ４に配信する。従って、広告主３は１つの広告素材を準備するだけで、全てのＡＳＰ４に広告素材を入稿することができる。
【００２９】
報酬設定手段２２は、広告主３が設定した報酬を、複数のＡＳＰ４のそれぞれに配信する。配信された設定は、各ＡＳＰ４のシステムにおいてそれぞれ反映される。広告主３は、全てのＡＳＰ４に対して同一の報酬を設定することもできるし、ＡＳＰ４毎に異なる報酬を設定することもできる。また、報酬としては、１つ売買契約が成立するごとに固定額を支払うように設定することもできるし、売上金額に対する一定の割合を報酬額とすることもできる。そして、これらの設定した報酬の情報は、例えば、商品毎の情報が蓄積されている商品情報データベース３３に蓄積しておく。
【００３０】
出納処理手段２３は、複数のＡＳＰ４のそれぞれに発生している支払い請求を一括して管理し、処理する。成果報酬型のアフィリエイトを利用する広告主３は、預入金を予めＡＳＰ４に積み立てておく必要があり、この積立金額が所定の金額よりも減少してしまうと、成果報酬型のアフィリエイトの利用が停止されてしまう場合がある。また、商品の売上額に応じてＡＳＰ４に対するマージンの支払いが発生する場合や、運営費用として月毎に固定費の支払いが必要な場合もある。このように各ＡＳＰ４で預入金の請求や支払の請求が発生すると、出納処理手段２３は、それらの請求を支払い期限毎に一括して、広告主３に入金指示を出す。広告主３から入金があれば、各ＡＳＰ４の請求に基づいて、各ＡＳＰ４の指定口座へ入金を行なう。また、これらの出納情報を、出納データベース３６に蓄積して管理する。広告主３は、各ＡＳＰ４毎に発生している支払い金額と個々の入金を管理する必要がないので、アフィリエイト利用のための管理コストを削減することができる。
【００３１】
問合せ対応手段２５は、各ＡＳＰ４からの問い合わせがあると、それらを一括して広告主３に送信する。また、広告主３から問合せに対する回答が寄せられると、それを問合せのあったＡＳＰ４に送信する。広告主３は、アフィリエイト管理システム１から送信されてくる問合せだけを注意していればよいので、問合せに対応する管理コストを削減できる。
【００３２】
登録情報管理手段２６は、各ＡＳＰに登録してある広告主３の契約内容等の情報が収納されている広告主の登録情報データベース３２を備えており、各ＡＳＰ４に登録されている広告主３の登録情報を一元管理している。また、広告主３から、登録情報の変更を指示されると、登録情報管理手段２６は、広告主の登録情報データベース３２に反映するとともに、変更した設定情報を各ＡＳＰ４に送信して、各ＡＳＰ４のシステムに反映させる。広告主３は、複数のアフィリエイトに対して一括して登録情報を変更することが可能なので、アフィリエイト利用のための管理コストを抑えることができる。
【００３３】
販売情報提供手段２４は、顧客動向監視手段２０によって逐次情報が蓄積されるクリック状況データベース３４や売買履歴データベース３５の情報と、商品情報データベースや出納データベースに蓄積されている情報を関連付けて、広告主３が必要とする情報を抽出する。また、抽出した情報を、各ＡＳＰ４毎に集計して、他の各ＡＳＰ４の集計と比較可能な一覧表にして表示する。また、抽出した情報の全体を集計して、契約しているＡＳＰ４全体の販売情報を表示する。さらに、商品紹介リンク１１のクリック状況を時系列に表示する。
【００３４】
例えば、広告主３が、いずれのＡＳＰ４による成果報酬型のアフィリエイトが最も成果を挙げているかを検証したい場合には、販売情報提供手段２４は、図２のような一覧表を表示する。図２は、ＡＳＰ４毎に、一定期間内の商品紹介リンク１１のクリック数、契約成立数（獲得数）、クリック数が契約成立に結びついた割合を示すコンバージョンレート（ＣＶＲ）、サイト管理者に支払われる確定した報酬額（確定報酬）、１クリック当たりの販売経費（クリック単価）、商品紹介リンク１１をクリックしてから契約成立までの平均時間（平均時間）、会員契約している顧客がいれば、その退会数および退会率を集計したものである。ＡＳＰ４毎に集計されており、一覧表になっているので、その成果を比較して検討しやすくなっている。
【００３５】
広告主３が、契約しているＡＳＰ４全体による成果報酬型のアフィリエイトの成果を検証したい場合には、販売情報提供手段２４は、図３のような表を表示する。図３は、契約している複数のアフィリエイト全体の商品紹介リンク１１のクリック数、契約成立数（獲得数）、クリック数が契約成立に結びついた割合を示すコンバージョンレート（ＣＶＲ）、サイト管理者に支払われる確定した報酬額（確定報酬）、１クリック当たりの販売経費（クリック単価）、商品紹介リンク１１をクリックしてから契約成立までの平均時間（平均時間）、会員契約している顧客がいれば、その退会数および退会率を、日々集計したものである。
【００３６】
広告主３が、どのような顧客６が、いずれのＡＳＰ４と契約しているサイト管理者のホームページ１０にクリックしているのか、そのクリック状況を時系列で把握して、販売促進に役立てたい場合には、販売情報提供手段２４は、図４のような表を表示する。図４は、商品紹介リンク１１がクリックされた日時を、ＡＳＰ４毎に時系列で表示したものである。ＡＳＰ４（ＡＳＰ名）とともに、クリックした携帯電話のキャリア、機種名、個体識別番号、顧客ＩＤ、入会日（獲得日時）、退会日（退会日時）などを表示している。
【００３７】
このように、販売情報提供手段２４は、ＡＳＰ毎の販売効率等を比較検討できる形式で広告主３に提供するので、広告主３が、各ＡＳＰ４を巡回したり、巡回して得た販売情報を加工して全体の販売情報を得る等の手間が必要ない。従って、アフィリエイト利用のための管理コストが増大を抑えることができる。
【００３８】
なお、本形態のアフィリエイト管理システム１が対応している成果報酬型のアフィリエイトは、携帯電話向けのものであるが、それに限定されることなく、インターネット８上で提供されているいずれの成果報酬型のアフィリエイトを提供するアフィリエイトサービスプロバイダを複数利用する場合にも対応できる。
【図面の簡単な説明】
【００３９】
【図１】本発明の実施の形態に係るアフィリエイト管理システム１の概略図である。
【図２】販売情報提供手段が表示する販売情報の例である。
【図３】販売情報提供手段が表示する販売情報の例である。
【図４】販売情報提供手段が表示する販売情報の例である。
【符号の説明】
【００４０】
１  アフィリエイト管理システム
３  広告主
４  ＡＳＰ
６  顧客
７  専用回線
８  インターネット
１０  ホームページ
１１  商品紹介リンク
１２  販売サイト
２０  顧客動向監視手段
２１  広告入稿手段
２２  報酬設定手段
２３  出納処理手段
２４  販売情報提供手段
２５  問合せ対応手段
２６  登録情報管理手段
３２  登録情報データベース
３３  商品情報データベース
３４  クリック状況データベース
３５  売買履歴データベース
３６  出納データベース
【図１】
2008009805.tif 000003
【図２】
2008009805.tif 000004
【図３】
2008009805.tif 000005
【図４】
2008009805.tif 000006
【手続補正書】
【提出日】平成18年7月5日(2006.7.5)
【手続補正１】
【補正対象書類名】図面
【補正対象項目名】図１
【補正方法】変更
【補正の内容】
【図１】
2008009805.tif 000007